(57)【特許請求の範囲】
【請求項１】
ユーザを識別するユーザ識別子とマイナンバーに関する情報であるマイナンバー情報とを対応付けて格納し得るマイナンバー情報格納部と、
ユーザ識別子と、マイナンバー情報と、マイナンバーカードの画像を構成するマイナンバーカード画像情報と、個人を証明するための証明書の画像を構成する１または２以上の個人証明画像情報とを受け付ける受付部と、
前記受付部が受け付けたマイナンバーカード画像情報と１以上の個人証明画像情報とが、マイナンバー情報の正当性に関する条件であるマイナンバー条件を満たすか否かを判断する判断部と、
前記判断部が、前記マイナンバー条件を満たすと判断した場合のみ、前記受付部が受け付けたマイナンバー情報を前記ユーザ識別子に対応付けて、前記マイナンバー情報格納部に蓄積するマイナンバー情報蓄積部とを具備し、
前記判断部は、
前記受付部が受け付けたマイナンバーカード画像情報がマイナンバーカードの画像情報であるか否かの判断を含む第一の判断であり、前記受付部が受け付けた画像情報が予め決められた種類の画像情報であるかの判断を含む第一の判断を行い、当該第一の判断の後に、前記受付部が受け付けたマイナンバーカード画像情報または前記受付部が受け付けた個人証明画像情報の内容の判断である第二の判断を行うマイナンバー情報登録装置。
【請求項２】
マイナンバーカード画像情報の１以上の特徴量が格納される格納部をさらに具備し、
前記判断部は、
前記受付部が受け付けたマイナンバー画像情報の１以上の特徴量を取得し、当該１以上の特徴量と前記格納部に格納されている１以上の特徴量とを比較し、両者の類似度を取得し、当該類似度が予め決められている閾値以上であるかを判断する請求項１記載のマイナンバー情報登録装置。
【請求項３】
ユーザを識別するユーザ識別子とマイナンバーに関する情報であるマイナンバー情報とを対応付けて格納し得るマイナンバー情報格納部と、
ユーザ識別子と、マイナンバー情報と、マイナンバーカードの画像を構成するマイナンバーカード画像情報と、個人を証明するための証明書の画像を構成する１または２以上の個人証明画像情報とを受け付ける受付部と、
前記受付部が受け付けたマイナンバーカード画像情報と１以上の個人証明画像情報とが、マイナンバー情報の正当性に関する条件であるマイナンバー条件を満たすか否かを判断する判断部と、
前記判断部が、前記マイナンバー条件を満たすと判断した場合のみ、前記受付部が受け付けたマイナンバー情報を前記ユーザ識別子に対応付けて、前記マイナンバー情報格納部に蓄積するマイナンバー情報蓄積部とを具備し、
前記判断部は、
前記受付部が受け付けた１以上の各個人証明画像情報に顔画像が含まれるか否かを判断し、いずれの前記個人証明画像情報にも顔画像が含まれないと判断し、かつ前記受付部が２以上の個人証明画像情報を受け付けていないと判断した場合は、前記マイナンバー条件を満たさないと判断し、当該判断の後に、前記１以上の各個人証明画像情報の正当性を判断するマイナンバー情報登録装置。
【請求項４】
前記判断部は、
前記個人証明画像情報が顔写真を含む場合と顔写真を含まない場合とで、前記マイナンバー条件を満たすか否かの判断の対象の個人証明画像情報の数が異なる請求項３記載のマイナンバー情報登録装置。
【請求項５】
前記判断部は、
前記個人証明画像情報が顔写真を含む場合は、一つの個人証明画像情報を判断の対象として、前記マイナンバー条件を満たすか否かを判断し、前記個人証明画像情報が顔写真を含まない場合は、二つの個人証明画像情報を判断の対象として、前記マイナンバー条件を満たすか否かを判断する請求項４記載のマイナンバー情報登録装置。
【請求項６】
前記マイナンバー条件は、
前記１以上の個人証明画像情報が正当であることを含み、
前記判断部は、
前記１以上の各個人証明画像情報が予め決められた条件を満たすか否かを判断する
請求項１から請求項５いずれか一項に記載のマイナンバー情報登録装置。
【請求項７】
ユーザを識別するユーザ識別子とマイナンバーに関する情報であるマイナンバー情報とを対応付けて格納し得るマイナンバー情報格納部、受付部、判断部、マイナンバー情報蓄積部により実現されるマイナンバー情報登録方法であって、
前記受付部が、ユーザ識別子と、マイナンバー情報と、マイナンバーカードの画像を構成するマイナンバーカード画像情報と、個人を証明するための証明書の画像を構成する１または２以上の個人証明画像情報とを受け付ける受付ステップと、
前記判断部が、前記受付ステップで受け付けられたマイナンバーカード画像情報と１以上の個人証明画像情報とが、マイナンバー情報の正当性に関する条件であるマイナンバー条件を満たすか否かを判断する判断ステップと、
前記マイナンバー情報蓄積部が、前記判断ステップで、前記マイナンバー条件を満たすと判断された場合のみ、前記受付ステップで受け付けられたマイナンバー情報を前記ユーザ識別子に対応付けて、前記マイナンバー情報格納部に蓄積するマイナンバー情報蓄積ステップとを具備し、
前記判断ステップにおいて、
前記受付ステップで受け付けられたマイナンバーカード画像情報がマイナンバーカードの画像情報であるか否かの判断を含む第一の判断であり、前記受付部が受け付けた画像情報が予め決められた種類の画像情報であるかの判断を含む第一の判断を行い、当該第一の判断の後に、前記受付部が受け付けたマイナンバーカード画像情報または前記受付部が受け付けた個人証明画像情報の内容の判断である第二の判断を行うマイナンバー情報登録方法。
【請求項８】
ユーザを識別するユーザ識別子とマイナンバーに関する情報であるマイナンバー情報とを対応付けて格納し得るマイナンバー情報格納部、受付部、判断部、マイナンバー情報蓄積部により実現されるマイナンバー情報登録方法であって、
前記受付部が、ユーザ識別子と、マイナンバー情報と、マイナンバーカードの画像を構成するマイナンバーカード画像情報と、個人を証明するための証明書の画像を構成する１または２以上の個人証明画像情報とを受け付ける受付ステップと、
前記判断部が、前記受付ステップで受け付けられたマイナンバーカード画像情報と１以上の個人証明画像情報とが、マイナンバー情報の正当性に関する条件であるマイナンバー条件を満たすか否かを判断する判断ステップと、
前記マイナンバー情報蓄積部が、前記判断ステップで、前記マイナンバー条件を満たすと判断された場合のみ、前記受付ステップで受け付けられたマイナンバー情報を前記ユーザ識別子に対応付けて、前記マイナンバー情報格納部に蓄積するマイナンバー情報蓄積ステップとを具備し、
前記判断ステップにおいて、
前記受付ステップで受け付けられた１以上の各個人証明画像情報に顔画像が含まれるか否かを判断し、いずれの前記個人証明画像情報にも顔画像が含まれないと判断し、かつ前記受付ステップで２以上の個人証明画像情報を受け付けていないと判断した場合は、前記マイナンバー条件を満たさないと判断し、当該判断の後に、前記１以上の各個人証明画像情報の正当性を判断するマイナンバー情報登録方法。
【請求項９】
ユーザを識別するユーザ識別子とマイナンバーに関する情報であるマイナンバー情報とを対応付けて格納し得るマイナンバー情報格納部にアクセス可能なコンピュータを、
ユーザ識別子と、マイナンバー情報と、マイナンバーカードの画像を構成するマイナンバーカード画像情報と、個人を証明するための証明書の画像を構成する１または２以上の個人証明画像情報とを受け付ける受付部と、
前記受付部が受け付けたマイナンバーカード画像情報と１以上の個人証明画像情報とが、マイナンバー情報の正当性に関する条件であるマイナンバー条件を満たすか否かを判断する判断部と、
前記判断部が、前記マイナンバー条件を満たすと判断した場合のみ、前記受付部が受け付けたマイナンバー情報を前記ユーザ識別子に対応付けて、前記マイナンバー情報格納部に蓄積するマイナンバー情報蓄積部として機能させるためのプログラムであって、
前記判断部が、前記受付部が受け付けたマイナンバーカード画像情報がマイナンバーカードの画像情報であるか否かの判断を含む第一の判断であり、前記受付部が受け付けた画像情報が予め決められた種類の画像情報であるかの判断を含む第一の判断を行い、当該第一の判断の後に、前記受付部が受け付けたマイナンバーカード画像情報または前記受付部が受け付けた個人証明画像情報の内容の判断である第二の判断を行うものとして、前記コンピュータを機能させるためのプログラム。
【請求項１０】
ユーザを識別するユーザ識別子とマイナンバーに関する情報であるマイナンバー情報とを対応付けて格納し得るマイナンバー情報格納部にアクセス可能なコンピュータを、
ユーザ識別子と、マイナンバー情報と、マイナンバーカードの画像を構成するマイナンバーカード画像情報と、個人を証明するための証明書の画像を構成する１または２以上の個人証明画像情報とを受け付ける受付部と、
前記受付部が受け付けたマイナンバーカード画像情報と１以上の個人証明画像情報とが、マイナンバー情報の正当性に関する条件であるマイナンバー条件を満たすか否かを判断する判断部と、
前記判断部が、前記マイナンバー条件を満たすと判断した場合のみ、前記受付部が受け付けたマイナンバー情報を前記ユーザ識別子に対応付けて、前記マイナンバー情報格納部に蓄積するマイナンバー情報蓄積部として機能させるためのプログラムであって、
前記判断部が、前記受付部が受け付けた１以上の各個人証明画像情報に顔画像が含まれるか否かを判断し、いずれの前記個人証明画像情報にも顔画像が含まれないと判断し、かつ前記受付部が２以上の個人証明画像情報を受け付けていないと判断した場合は、前記マイナンバー条件を満たさないと判断し、当該判断の後に、前記１以上の各個人証明画像情報の正当性を判断するものとして、前記コンピュータを機能させるためのプログラム。
【発明の詳細な説明】
【技術分野】
【０００１】
本発明は、マイナンバーの情報を登録するマイナンバー情報登録装置等に関するものである。
【背景技術】
【０００２】
マイナンバー制度が２０１６年から開始される。マイナンバー制度とは、国内で住民登録をするすべての人にそれぞれ１２桁の番号を割り振る制度で、国や自治体は社会保障と税、災害対策の３分野での利用を始める。脱税や給付金の不正受給の防止に活用する狙いがあり、預金口座とマイナンバーの関連づけも検討されている。１７年からはインターネット上に個人ページも開設でき、自己情報がやりとりされた履歴や、確定申告などの情報確認ができるという（例えば、非特許文献１参照）。
【先行技術文献】
【非特許文献】
【０００３】
【非特許文献１】マイナンバー制度、［平成２７年８月１８日検索］、インターネット［URL：https://kotobank.jp/word/%E3%83%9E%E3%82%A4%E3%83%8A%E3%83%B3%E3%83%90%E3%83%BC%E5%88%B6%E5%BA%A6-1712381#E6.9C.9D.E6.97.A5.E6.96.B0.E8.81.9E.E6.8E.B2.E8.BC.89.E3.80.8C.E3.82.AD.E3.83.BC.E3.83.AF.E3.83.BC.E3.83.89.E3.80.8D］
【発明の概要】
【発明が解決しようとする課題】
【０００４】
しかしながら、マイナンバーに関するマイナンバー情報を適切に登録できなかった。つまり、本願が発明は、極めて重要なマイナンバー情報を正しく登録することを目的とする。
【課題を解決するための手段】
【０００５】
本第一の発明のマイナンバー情報登録装置は、ユーザを識別するユーザ識別子とマイナンバーに関する情報であるマイナンバー情報とを対応付けて格納し得るマイナンバー情報格納部と、ユーザ識別子と、マイナンバー情報と、マイナンバーカードの画像を構成するマイナンバーカード画像情報と、個人を証明するための証明書の画像を構成する１または２以上の個人証明画像情報とを受け付ける受付部と、受付部が受け付けたマイナンバーカード画像情報と１以上の個人証明画像情報とが、マイナンバー情報の正当性に関する条件であるマイナンバー条件を満たすか否かを判断する判断部と、判断部が、マイナンバー条件を満たすと判断した場合のみ、受付部が受け付けたマイナンバー情報をユーザ識別子に対応付けて、マイナンバー情報格納部に蓄積するマイナンバー情報蓄積部とを具備するマイナンバー情報登録装置である。
【０００６】
かかる構成により、予め決められた条件を満たす場合のみ、マイナンバー情報を登録できる。
【０００７】
また、本第二の発明のマイナンバー情報登録装置は、第一の発明に対して、受付部は、ユーザ識別子とマイナンバー情報とを受け付けるマイナンバー情報受付部と、ユーザ識別子とマイナンバーカード画像情報とを受け付けるマイナンバーカード画像情報受付部と、ユーザ識別子と１または２以上の個人証明画像情報とを受け付ける個人証明画像情報受付部とを具備し、判断部は、マイナンバーカード画像情報受付部が受け付けたマイナンバーカード画像情報と、個人証明画像情報受付部が受け付けた１以上の個人証明画像情報とが、マイナンバー条件を満たすか否かを判断するマイナンバー情報登録装置である。
【０００８】
かかる構成により、予め決められた条件を満たす場合のみ、マイナンバー情報を登録できる。
【０００９】
また、本第三の発明のマイナンバー情報登録装置は、第一または第二の発明に対して、マイナンバー条件は、マイナンバーカード画像情報が受け付けられたこと、および１以上の個人証明画像情報が受け付けられたことであるマイナンバー情報登録装置である。
【００１０】
かかる構成により、マイナンバーカード画像情報と１以上の個人証明画像情報とが受け付けられている場合のみ、マイナンバー情報を登録できる。
【００１１】
また、本第四の発明のマイナンバー情報登録装置は、第一から第三いずれか１つの発明に対して、判断部は、個人証明画像情報が顔写真を含む場合と顔写真を含まない場合とで、マイナンバー条件を満たすか否かの判断の対象の個人証明画像情報の数が異なるマイナンバー情報登録装置である。
【００１２】
かかる構成により、適切な個人証明画像情報を用いて、マイナンバー情報を登録できる。
【００１３】
また、本第五の発明のマイナンバー情報登録装置は、第四の発明に対して、判断部は、個人証明画像情報が顔写真を含む場合は、一つの個人証明画像情報を判断の対象として、マイナンバー条件を満たすか否かを判断し、個人証明画像情報が顔写真を含まない場合は、二つの個人証明画像情報を判断の対象として、マイナンバー条件を満たすか否かを判断するマイナンバー情報登録装置である。
【００１４】
かかる構成により、適切な個人証明画像情報を用いて、マイナンバー情報を登録できる。
【００１５】
また、本第六の発明のマイナンバー情報登録装置は、第一から第五いずれか１つの発明に対して、マイナンバー条件は、マイナンバーカード画像情報が正当であることを含み、判断部は、マイナンバーカード画像情報が予め決められた条件を満たすか否かを判断するマイナンバー情報登録装置である。
【００１６】
かかる構成により、マイナンバーカード画像情報の内容が正当である場合のみ、マイナンバー情報を登録できる。
【００１７】
また、本第七の発明のマイナンバー情報登録装置は、第一から第六いずれか１つの発明に対して、マイナンバー条件は、１以上の個人証明画像情報が正当であることを含み、判断部は、１以上の各個人証明画像情報が予め決められた条件を満たすか否かを判断するマイナンバー情報登録装置である。
【００１８】
かかる構成により、１以上の個人証明画像情報の内容が正当である場合のみ、マイナンバー情報を登録できる。
【発明の効果】
【００１９】
本発明によるマイナンバー情報登録装置によれば、マイナンバー情報を適切に登録できる。
【図面の簡単な説明】
【００２０】
【図１】実施の形態１における情報システムの概念図を示す図
【図２】同情報システムのブロック図
【図３】同マイナンバー情報登録装置１の動作について説明するフローチャート
【図４】同判断処理の詳細について説明するフローチャート
【図５】同画像情報の内容判断の処理の例について説明するフローチャート
【図６】同マイナンバー情報管理表を示す図
【図７】同入力画面例を示す図
【図８】同マイナンバー情報管理表を示す図
【図９】同入力画面例を示す図
【図１０】同マイナンバー情報管理表を示す図
【図１１】同コンピュータシステムの概観図
【図１２】同コンピュータシステムのブロック図
【発明を実施するための形態】
【００２１】
以下、マイナンバー情報登録装置等の実施形態について図面を参照して説明する。なお、実施の形態において同じ符号を付した構成要素は同様の動作を行うので、再度の説明を省略する場合がある。
【００２２】
（実施の形態１）
本実施の形態において、マイナンバー情報の正当性に関する条件であるマイナンバー条件に合致する場合のみ、マイナンバー情報を登録する情報システムについて説明する。なお、マイナンバー条件は、マイナンバー情報の登録条件であれば良く、広く解する。
【００２３】
また、本実施の形態において、マイナンバー情報とともに、マイナンバーカード画像情報および１以上の個人証明画像情報が受け付けられた否かを検査し、当該画像情報の入力がある場合のみ、マイナンバー情報を登録する情報システムについて説明する。
【００２４】
また、本実施の形態において、マイナンバーカード画像情報の内容が正当であるか否かを判断し、正当であると判断された場合のみマイナンバー情報を登録する情報システムについて説明する。
【００２５】
また、本実施の形態において、１以上の個人証明画像情報の内容が正当であるか否かを判断し、正当であると判断された場合のみマイナンバー情報を登録する情報システムについて説明する。
【００２６】
また、本実施の形態において、証明画像は、顔写真のある個人証明書画像情報と、顔写真の無い個人証明書画像情報とで、検査する必要枚数が異なる情報システムについて説明する。なお、例えば、顔写真のある個人証明書画像情報であれば１枚、顔写真の無い個人証明書画像情報であれば２枚、検査される。
【００２７】
図１は、本実施の形態における情報システムの概念図である。情報システムは、マイナンバー情報登録装置１、および１または２以上の端末装置２を備える。マイナンバー情報登録装置１は、例えば、いわゆるサーバ装置であり、クラウドサーバ等でも良い。ただし、マイナンバー情報登録装置１の種類は問わない。端末装置２は、ユーザが使用する端末である。端末装置２は、例えば、いわゆるパーソナルコンピュータ、タブレット端末、スマートフォン等であり、その種類は問わない。
【００２８】
図２は、本実施の形態における情報システムのブロック図である。マイナンバー情報登録装置１は、格納部１１、受付部１２、処理部１３、および送信部１４を備える。
【００２９】
格納部１１は、マイナンバー情報格納部１１１を備える。受付部１２は、マイナンバー情報受付部１２１、マイナンバーカード画像情報受付部１２２、および個人証明画像情報受付部１２３を備える。処理部１３は、判断部１３１、およびマイナンバー情報蓄積部１３２を備える。
【００３０】
端末装置２は、端末格納部２１、端末受付部２２、端末処理部２３、端末送信部２４、端末受信部２５、および端末出力部２６を備える。
【００３１】
格納部１１は、各種の情報を格納し得る。各種の情報とは、例えば、後述するマイナンバー情報である。各種の情報とは、例えば、端末装置２に送信される画面情報である。画面情報は、例えば、マイナンバー情報を登録するための画面の情報であるマイナンバー情報登録画面情報等である。画面情報は、例えば、ＨＴＭＬ、ＸＭＬ等により実現され得るが、その構成は問わない。また、各種の情報とは、例えば、後述するマイナンバーカード画像情報であることを識別するためのマイナンバーカード画像情報（以下、適宜「マイナンバー画像情報」とも言う。）の１以上の特徴量、後述する個人証明画像情報であることを識別するための個人証明画像情報の１以上の特徴量である。
【００３２】
マイナンバー情報格納部１１１は、ユーザを識別するユーザ識別子とマイナンバーに関する情報であるマイナンバー情報とを対応付けて格納し得る。マイナンバー情報は、通常、マイナンバーである。マイナンバーは、通常、１２桁の番号である。マイナンバー情報は、マイナンバー以外の情報を含んでも良い。マイナンバー以外の情報は、例えば、氏名、住所、マイナンバー以外の識別子、後述するマイナンバーカード画像情報、後述する個人証明画像情報等である。ユーザ識別子は、ユーザを識別する情報であり、例えば、ＩＤ、氏名、氏名と住所、電話番号、メールアドレス等である。なお、ユーザ識別子は、マイナンバーでも良く、かかる場合、ユーザ識別子はマイナンバー情報に含まれる。なお、マイナンバー情報格納部１１１は、ユーザ識別子に対応付けて、ユーザ情報を格納していても良い。ユーザ情報とは、ユーザに関する情報であり、例えば、住所、氏名、所属している企業名、生年月日、電話番号等である。
【００３３】
受付部１２は、ユーザ識別子と、マイナンバー情報と、マイナンバーカードの画像を構成するマイナンバーカード画像情報と、個人を証明するための証明書の画像を構成する１または２以上の個人証明画像情報とを受け付ける。個人を証明するための証明書は、例えば、運転免許証、健康保険証、パスポート、住民票、年金手帳、官公庁や特殊法人等が発行した身分証明書等であり、その種類は問わない。なお、受付部１２が受け付ける個人を証明するための証明書は、通常、予め決められている。
【００３４】
ここで、受け付けとは、通常、有線もしくは無線の通信回線を介して送信された情報の受信であえるが、キーボードやマウス、タッチパネルなどの入力デバイスから入力された情報の受け付け、光ディスクや磁気ディスク、半導体メモリなどの記録媒体から読み出された情報の受け付けなどを含む概念である。
【００３５】
マイナンバー情報受付部１２１は、ユーザ識別子とマイナンバー情報とを受け付ける。ここでのユーザ識別子は、マイナンバーカード画像情報受付部１２２や個人証明画像情報受付部１２３が受け付けるユーザ識別子と共有されていても良い。ユーザ識別子は、氏名、マイナンバー情報等でも良い。
【００３６】
マイナンバーカード画像情報受付部１２２は、ユーザ識別子とマイナンバーカード画像情報とを受け付ける。ここでのユーザ識別子は、マイナンバー情報受付部１２１や個人証明画像情報受付部１２３が受け付けるユーザ識別子と共有されていても良い。
【００３７】
個人証明画像情報受付部１２３は、ユーザ識別子と１または２以上の個人証明画像情報とを受け付ける。ここでのユーザ識別子は、マイナンバー情報受付部１２１やマイナンバーカード画像情報受付部１２２が受け付けるユーザ識別子と共有されていても良い。
【００３８】
処理部１３は、各種の処理を行う。各種の処理とは、例えば、判断部１３１、マイナンバー情報蓄積部１３２が行う処理である。
【００３９】
判断部１３１は、受付部１２が受け付けたマイナンバーカード画像情報と１以上の個人証明画像情報とが、マイナンバー情報の正当性に関する条件であるマイナンバー条件を満たすか否かを判断する。ここで、正当性に関する条件とは、マイナンバー情報の登録条件であれば良い。マイナンバー条件は、マイナンバーカード画像情報と１以上の個人証明画像情報とを用いた何らかの条件であれば良く、広く解する。マイナンバー条件とは、例えば、マイナンバーカード画像情報が受け付けられたこと、および１以上の個人証明画像情報が受け付けられたことである。マイナンバーカード画像情報の内容を検査しない場合、および１以上の個人証明画像情報の内容を検査しない場合、マイナンバー条件とは、マイナンバーカード画像情報に対応する項目（領域と言っても良い）に画像が含まれること、および１以上の個人証明画像情報に対応する項目に画像が含まれることである。また、マイナンバー条件とは、例えば、マイナンバーカード画像情報と一つの顔写真を含む個人証明画像情報が受け付けられたこと、またはマイナンバーカード画像情報と二つの顔写真を含まない個人証明画像情報が受け付けられたことである。また、マイナンバー条件とは、例えば、マイナンバーカード画像情報が正当であることである。マイナンバーカード画像情報が正当であることとは、例えば、マイナンバーカード画像情報として受け付けられた画像が、マイナンバーカード画像情報であることである。また、受け付けられたマイナンバーカード画像情報に含まれるユーザ情報と、１以上の個人証明画像情報１以上の個人証明画像情報とが一致することである。また、マイナンバー条件とは、例えば、受け付けられた１以上の個人証明画像情報が正当であることである。１以上の個人証明画像情報が正当であることとは、１以上の各個人証明画像情報が、受け付け対象として予め決められている種類の個人証明書（例えば、運転免許証、パスポート、健康保険証、住民票等）の画像であることである。また、１以上の個人証明画像情報が正当であることとは、１以上の各個人証明画像情報に含まれるユーザ情報とマイナンバーカード画像情報に含まれるユーザ情報とが一致することである。なお、ユーザ情報とは、ユーザの情報であり、例えば、氏名、住所、本籍等である。また、顔写真を含む個人証明画像情報は、例えば、運転免許証、パスポート等である。また、顔写真を含まない個人証明画像情報は、例えば、健康保険証、年金手帳等である。
【００４０】
判断部１３１は、例えば、マイナンバーカード画像情報受付部１２２が受け付けたマイナンバーカード画像情報と、個人証明画像情報受付部１２３が受け付けた１以上の個人証明画像情報が、マイナンバー条件を満たすか否かを判断する。
【００４１】
判断部１３１は、例えば、マイナンバー情報またはマイナンバーカード画像情報に含まれるユーザ情報と、１以上の各個人証明画像情報に含まれるユーザ情報とが、マイナンバー条件を満たすか否かを判断する。
【００４２】
判断部１３１が行う判断処理において、例えば、個人証明画像情報が顔写真を含む場合と顔写真を含まない場合とで、マイナンバー条件を満たすか否かの判断の対象の個人証明画像情報の数が異なることは好適である。
【００４３】
判断部１３１は、例えば、個人証明画像情報が顔写真を含む場合は、一つの個人証明画像情報を判断の対象として、マイナンバー条件を満たすか否かを判断し、個人証明画像情報が顔写真を含まない場合は、二つの個人証明画像情報を判断の対象として、マイナンバー条件を満たすか否かを判断する。
【００４４】
マイナンバー情報蓄積部１３２は、判断部１３１がマイナンバー条件を満たすと判断した場合のみ、受付部１２が受け付けたマイナンバー情報をユーザ識別子に対応付けて、マイナンバー情報格納部１１１に蓄積する。
【００４５】
なお、マイナンバー情報蓄積部１３２は、マイナンバー情報以外の受け付けられた情報をユーザ識別子に対応付けて、マイナンバー情報格納部１１１に蓄積しても良い。マイナンバー情報以外の受け付けられた情報とは、例えば、マイナンバーカード画像情報、１以上の個人証明画像情報等である。
【００４６】
送信部１４は、各種の情報を端末装置２に送信する。各種の情報とは、例えば、マイナンバー情報が蓄積された旨の情報、マイナンバー情報の登録が正当に完了したことを示す情報、マイナンバー情報の登録がエラーになったことを示す情報等である。各種の情報とは、例えば、マイナンバー情報を登録するための画面の情報であるマイナンバー情報登録画面情報等でも良い。
【００４７】
端末装置２を構成する端末格納部２１は、各種の情報を格納し得る。各種の情報とは、例えば、ユーザ識別子である。ユーザ識別子とは、端末装置２のユーザを識別する情報、または端末装置２を識別する情報である。
【００４８】
端末受付部２２は、指示や情報等を受け付ける。指示や情報等とは、マイナンバー情報、マイナンバーカード画像情報、個人証明画像情報、情報の送信指示、画面出力指示等である。送信指示とは、マイナンバー情報等のマイナンバー情報登録装置１への送信指示である。画面出力指示とは、画面を出力する指示である。画面出力指示は、例えば、マイナンバー情報の入力画面の出力の指示である。
【００４９】
指示や情報等の入力手段は、キーボードやマウスやメニュー画面によるもの等、何でも良い。端末受付部２２は、キーボード等の入力手段のデバイスドライバーや、メニュー画面の制御ソフトウェア等で実現され得る。
【００５０】
端末処理部２３は、各種の処理を行う。各種の処理は、例えば、端末受付部２２が受け付けた指示や情報等を、送信するデータ構造にすることである。各種の処理は、例えば、端末受付部２２が受け付けた指示や情報等に、ユーザ識別子を付与して、送信するデータ構造に変更することである。
【００５１】
端末送信部２４は、各種の指示や情報等をマイナンバー情報登録装置１に送信する。各種の指示や情報等は、例えば、画面出力指示、マイナンバー情報の登録の指示などである。
【００５２】
端末受信部２５は、マイナンバー情報登録装置１から各種の情報を受信する。各種の情報は、出力する画面または画面情報、マイナンバー情報が蓄積された旨の情報、マイナンバー情報の登録が正当に完了したことを示す情報、マイナンバー情報の登録がエラーになったことを示す情報等である。
【００５３】
端末出力部２６は、端末受信部２５が受信した情報を出力する。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００５４】
格納部１１、マイナンバー情報格納部１１１、および端末格納部２１は、不揮発性の記録媒体が好適であるが、揮発性の記録媒体でも実現可能である。
【００５５】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００５６】
処理部１３、および端末処理部２３は、通常、ＭＰＵやメモリ等から実現され得る。処理部１３の処理手順は、通常、ソフトウェアで実現され、当該ソフトウェアはＲＯＭ等の記録媒体に記録されている。但し、ハードウェア（専用回路）で実現しても良い。
【００５７】
送信部１４、および端末送信部２４は、通常、無線または有線の通信手段で実現されるが、放送手段で実現されても良い。
【００５８】
端末受信部２５は、通常、無線または有線の通信手段で実現されるが、放送を受信する手段で実現されても良い。
【００５９】
端末出力部２６は、ディスプレイやスピーカー等の出力デバイスを含むと考えても含まないと考えても良い。端末出力部２６は、出力デバイスのドライバーソフトまたは、出力デバイスのドライバーソフトと出力デバイス等で実現され得る。
【００６０】
次に、情報システムの動作について説明する。まず、マイナンバー情報登録装置１の動作について、図３のフローチャートを用いて説明する。
【００６１】
（ステップＳ３０１）受付部１２は、端末装置２から情報等を受信したか否かを判断する。情報等を受信した場合はステップＳ３０２に行き、情報等を受信しない場合はステップＳ３０１に戻る。
【００６２】
（ステップＳ３０２）処理部１３は、ステップＳ３０１で受信された情報等は、マイナンバー情報の登録の指示であるか否かを判断する。マイナンバー情報の登録の指示である場合はステップＳ３０３に行き、マイナンバー情報の登録の指示でない場合はステップＳ３０７に行く。
【００６３】
（ステップＳ３０３）判断部１３１は、判断処理を行う。判断処理の詳細について、図４のフローチャートを用いて説明する。
【００６４】
（ステップＳ３０４）マイナンバー情報蓄積部１３２は、ステップＳ３０３における判断の結果が、マイナンバー条件に合致するとの結果の場合はステップＳ３０５に行き、マイナンバー条件に合致しないとの結果の場合はステップＳ３０６に行く。
【００６５】
（ステップＳ３０５）マイナンバー情報蓄積部１３２は、ステップＳ３０１で受け付けられたマイナンバー情報を、ユーザ識別子に対応付けて、マイナンバー情報格納部１１１に蓄積する。
【００６６】
（ステップＳ３０６）送信部１４は、登録結果を端末装置２に送信する。ステップＳ３０１に戻る。なお、登録結果は、ステップＳ３０３で取得された情報である。また、端末装置２は、マイナンバー情報の登録の指示を送信した端末である。
【００６７】
（ステップＳ３０７）処理部１３は、ステップＳ３０１で受信された情報等に応じた処理を行う。ステップＳ３０１に戻る。例えば、処理部１３は、ステップＳ３０１で受信された情報等が有するマイナンバーカード画像情報と個人証明画像情報とを、ステップＳ３０１で受信された情報等が有するユーザ識別子に対応付けて格納部１１に蓄積する。
【００６８】
なお、図３のフローチャートにおいて、電源オフや処理終了の割り込みにより処理は終了する。
【００６９】
次に、ステップＳ３０３の判断処理の詳細について、図４のフローチャートを用いて説明する。
【００７０】
（ステップＳ４０１）判断部１３１は、ステップＳ３０１で受信された情報等の中に、マイナンバー画像情報と１以上の個人証明画像情報が存在するか否かを判断する。予め決められた画像情報が存在する場合はステップＳ４０２に行き、画像情報が存在しない場合はステップＳ４０５に行く。なお、ここで、判断部１３１は、例えば、個人証明画像情報が顔写真を含む場合は、ステップＳ３０１で受信された情報等の中に、マイナンバー画像情報と１つの顔写真を含む個人証明画像情報が存在するか否かを判断する。また、判断部１３１は、例えば、個人証明画像情報が顔写真を含まない場合は、ステップＳ３０１で受信された情報等の中に、マイナンバー画像情報と２以上の予め決められた数（例えば、「２」）の顔写真を含まない個人証明画像情報が存在するか否かを判断する。
【００７１】
（ステップＳ４０２）判断部１３１は、マイナンバー画像情報または／および１以上の個人証明画像情報の内容を判断する必要があるか否かを判断する。内容を判断する必要がある場合はステップＳ４０３に行き、内容を判断する必要がない場合はステップＳ４０４に行く。なお、マイナンバー画像情報または／および１以上の個人証明画像情報の内容を判断する必要があるかは、例えば、予め決められている。また、マイナンバー画像情報または／および１以上の個人証明画像情報の内容を判断する必要があるかは、受信されたマイナンバー情報に応じて決定されても良い。なお、内容の判断とは、画像の種類が合致していることの第一の判断、またはマイナンバー画像情報または／および１以上の個人証明画像情報に記載の情報が正しい（確からしい、でも良い）ことの第二の判断である。第一の判断とは、マイナンバー画像情報がマイナンバーカードの画像であることの判断、または／および１以上の各個人証明画像情報が、免許証、住民票等の予め決められた個人証明書の画像であることの判断である。また、第二の判断とは、マイナンバー画像情報および１以上の個人証明画像情報に記載のユーザ情報（例えば、氏名、住所等）が合致していること、マイナンバー画像情報または／および１以上の個人証明画像情報に記載のユーザ情報（例えば、氏名、住所等）が、格納部１１に登録されているユーザ情報に合致していること等である。
【００７２】
（ステップＳ４０３）判断部１３１は、マイナンバー画像情報または／および１以上の個人証明画像情報の内容を判断する。かかる画像情報の内容判断の処理の例について、図５のフローチャートを用いて説明する。
【００７３】
（ステップＳ４０４）判断部１３１は、変数「登録結果」に値「正常」を代入する。上位処理にリターンする。なお、値「正常」は、マイナンバー情報が正常に登録され得る（登録された）ことを示す。
【００７４】
（ステップＳ４０５）判断部１３１は、ステップＳ３０１で受信された情報等の中のユーザ識別子を取得する。
【００７５】
（ステップＳ４０６）判断部１３１は、ステップＳ４０５で取得されたユーザ識別子と対になるマイナンバー画像情報および１以上の個人証明画像情報が存在するか否かを判断する。予め決められた画像情報が存在する場合はステップＳ４０２に行き、予め決められた画像情報が存在しない場合はステップＳ４０７に行く。なお、ユーザ識別子と対になるマイナンバー画像情報等が存在する場合は、マイナンバー情報の登録の前に、マイナンバー画像情報等が登録された場合である。
【００７６】
（ステップＳ４０７）判断部１３１は、判断部１３１は、変数「登録結果」に値「エラー」を代入する。上位処理にリターンする。なお、値「正常」は、マイナンバー情報が正常に登録され得ない（登録されない）ことを示す。
【００７７】
次に、ステップＳ４０３の画像情報の内容判断の処理について、図５のフローチャートを用いて説明する。
【００７８】
（ステップＳ５０１）判断部１３１は、マイナンバー画像情報の正当性を判断する。判断部１３１は、例えば、受信されたマイナンバー画像情報の１以上の特徴量を取得し、当該１以上の特徴量と予め格納しているマイナンバー画像情報の１以上の特徴量とを比較し、予め決められている閾値以上の類似度である場合は、マイナンバー画像情報は正当である、と判断する。かかる判断は、受信されたマイナンバー画像情報が、マイナンバーカードの画像情報であることを示す判断である。また、判断部１３１は、例えば、マイナンバー画像情報が有する氏名または／および住所を取得し、かつ格納部１１の氏名または／および住所を取得し、２以上の氏名または／および住所が一致するか否かを判断し、一致する場合にマイナンバー画像情報が正当であると判断する。また、判断部１３１は、例えば、マイナンバー画像情報が有する氏名または／および住所を取得し、かつ１以上の各個人証明画像情報が有する氏名または／および住所を取得し、２以上の氏名または／および住所が一致するか否かを判断し、一致する場合にマイナンバー画像情報が正当であると判断する。その他、マイナンバー画像情報の正当性の判断のアルゴリズムは問わない。
【００７９】
（ステップＳ５０２）判断部１３１は、ステップＳ５０１における判断結果が「正当」である場合はステップＳ５０３に行き、「正当」でない場合はステップＳ５１７に行く。
【００８０】
（ステップＳ５０３）判断部１３１は、個人証明画像情報に顔画像が含まれるか否かを判断する。顔画像が含まれる場合はステップＳ５０４に行き、顔画像が含まれない場合はステップＳ５０８に行く。個人証明画像情報に顔画像が含まれるか否かの判断方法は問わない。判断部１３１は、個人証明画像情報を公知の顔認識処理技術により、顔画像を検知しても良い。判断部１３１は、個人証明画像情報の１以上の特徴量を取得し、当該１以上の特徴量と予め格納している顔画像を有する個人証明画像情報（例えば、免許証の画像、顔の領域を除いた免許証の画像）の１以上の特徴量とを比較し、予め決められている閾値以上の類似度である場合は、個人証明画像情報は顔画像を有する、と判断しても良い。
【００８１】
（ステップＳ５０４）判断部１３１は、個人証明画像情報の正当性を判断する。判断部１３１は、受信された個人証明画像情報が、予め決められた種類の個人証明書の画像であるか否かを検査しても良い。判断部１３１は、例えば、受信された個人証明画像情報の１以上の特徴量を取得し、当該１以上の特徴量と予め格納している１以上のいずれかの個人証明画像情報の１以上の特徴量とを比較し、予め決められている閾値以上の類似度である場合は、個人証明画像情報は正当である、と判断する。かかる判断は、受信された個人証明画像情報が、予め決められた個人証明画像情報であることを示す判断である。また、判断部１３１は、例えば、個人証明画像情報が有する氏名または／および住所を文字認識技術により取得し、かつ格納部１１の氏名または／および住所を取得し、２以上の氏名または／および住所が一致するか否かを判断し、一致する場合にマイナンバー画像情報が正当であると判断する。また、判断部１３１は、例えば、マイナンバー画像情報が有する氏名または／および住所を取得し、かつ１以上の各個人証明画像情報が有する氏名または／および住所を取得し、２以上の氏名または／および住所が一致するか否かを判断し、一致する場合に個人証明画像情報が正当であると判断する。その他、個人証明画像情報の正当性の判断のアルゴリズムは問わない。なお、判断部１３１は、個人証明画像情報が顔画像を含む場合、当該顔画像を除いた領域の画像と、予め格納している１以上のいずれかの個人証明画像情報であり顔画像を除いた領域の画像とを比較して、予め決められている閾値以上の類似度である場合は、個人証明画像情報は正当である、と判断しても良い。
【００８２】
（ステップＳ５０５）判断部１３１は、ステップＳ５０４における判断結果が「正当」である場合はステップＳ５０６に行き、「正当」でない場合はステップＳ５０７に行く。
【００８３】
（ステップＳ５０６）判断部１３１は、変数「登録結果」に値「正常」を代入する。上位処理にリターンする。
【００８４】
（ステップＳ５０７）判断部１３１は、変数「登録結果」に値「エラー」を代入する。上位処理にリターンする。
【００８５】
（ステップＳ５０８）判断部１３１は、カウンタｉに１を代入する。
【００８６】
（ステップＳ５０９）判断部１３１は、「ｉ＜＝ｎ」を満たすか否かを判断する。「ｉ＜＝ｎ」を満たす場合はステップＳ５１０に行き、「ｉ＜＝ｎ」を満たさない場合はステップＳ５１６に行く。なお、ｎは、予め決められた２以上の自然数であり、２であることは好適である。
【００８７】
（ステップＳ５１０）判断部１３１は、受け付けられた個人証明画像情報の中に、ｉ番目の個人証明画像情報が存在するか否かを判断する。ｉ番目の個人証明画像情報が存在する場合はステップＳ５１１に行き、ｉ番目の個人証明画像情報が存在しない場合はステップＳ５１５に行く。
【００８８】
（ステップＳ５１１）判断部１３１は、判断部１３１は、ｉ番目の個人証明画像情報の正当性を判断する。かかる処理は、ステップＳ５０４の処理と同様である。
【００８９】
（ステップＳ５１２）判断部１３１は、判断部１３１は、ステップＳ５１３における判断結果が「正当」である場合はステップＳ５０６に行き、「正当」でない場合はステップＳ５１４に行く。
【００９０】
（ステップＳ５１３）判断部１３１は、カウンタｉを１、インクリメントする。ステップＳ５０９に戻る。
【００９１】
（ステップＳ５１４）判断部１３１は、変数「登録結果」に値「エラー」を代入する。上位処理にリターンする。
【００９２】
（ステップＳ５１５）判断部１３１は、変数「登録結果」に値「エラー」を代入する。上位処理にリターンする。
【００９３】
（ステップＳ５１６）判断部１３１は、変数「登録結果」に値「正常」を代入する。上位処理にリターンする。
【００９４】
（ステップＳ５１７）判断部１３１は、変数「登録結果」に値「エラー」を代入する。上位処理にリターンする。
【００９５】
なお、判断部１３１は、変数「登録結果」に値「エラー」を代入する場合、エラーの状況に応じた異なるエラーコードを付すことは好適である。
【００９６】
次に、端末装置２の動作について説明する。端末装置２の端末受付部２２は、指示や情報等を受け付ける。端末処理部２３は端末受付部２２が受け付けた指示や情報等を、送信するデータ構造にする。端末送信部２４は、端末処理部２３が構成した各種の指示や情報等をマイナンバー情報登録装置１に送信する。各種の指示や情報等の送信に応じて、端末受信部２５は、マイナンバー情報登録装置１から各種の情報を受信する。そして、端末出力部２６は、端末受信部２５が受信した情報を出力する。
【００９７】
以下、本実施の形態における情報システムの具体的な動作について説明する。情報システムの概念図は図１である。
【００９８】
今、マイナンバー情報格納部１１１は、図６に示すマイナンバー情報管理表を格納している。マイナンバー情報管理表は、「ＩＤ」「氏名」「個人番号」「個人番号カード画像」「身元確認書類画像」を有するレコードを１以上格納し得る。「個人番号」はマイナンバー情報である。「個人番号カード画像」はマイナンバーカード画像情報である。「身元確認書類画像」は個人証明画像情報である。
【００９９】
かかる状況において、以下の２つの具体例を説明する。具体例１は、身元確認書類画像が顔画像を含まない場合である。また、具体例２は、身元確認書類画像が顔画像を含む場合である。
【０１００】
（具体例１）
ユーザＡ「山田一朗」は、自分のマンナンバー情報をマイナンバー情報登録装置１に登録しようと考え、端末装置２に、マイナンバー情報の入力画面の出力指示を入力した、とする。そして、端末受付部２２は、当該出力指示を受け付ける。そして、端末送信部２４は、当該送信指示をマイナンバー情報登録装置１に送信する。
【０１０１】
次に、マイナンバー情報登録装置１の受付部１２は、マイナンバー情報の入力画面の出力指示を受信する。そして、マイナンバー情報登録装置１は、当該出力指示に対応するマイナンバー情報の入力画面の画面情報を、端末装置２に送信する。
【０１０２】
次に、端末装置２は、マイナンバー情報の入力画面の画面情報を受信し、当該入力画面を出力する。
【０１０３】
そして、ユーザＡは、当該入力画面に対して、氏名、個人番号を入力する。また、ユーザＡは、当該入力画面に対して、個人番号カードの画像と、保険証の画像と、住民票の画像とを貼り付ける（図７参照）。次に、ユーザは、登録ボタン７０１を押下した、とする。
【０１０４】
次に、端末装置２の端末受付部２２は、登録ボタン７０１の押下を受け付ける。そして、端末処理部２３は、氏名、個人番号、個人番号カードの画像、保険証の画像、住民票の画像を有するマイナンバー登録指示を構成する。なお、個人番号カードの画像は、マイナンバーカード画像情報である。保険証の画像は個人証明画像情報の一種である。また、住民票の画像は個人証明画像情報の一種である。
【０１０５】
次に、端末送信部２４は、構成されたマイナンバー登録指示をマイナンバー情報登録装置１に送信する。
【０１０６】
次に、マイナンバー情報登録装置１の受付部１２は、当該マイナンバー登録指示を受信する。
【０１０７】
次に、判断部１３１は、次のように判断処理を行う。つまり、判断部１３１は、受信されたマイナンバー登録指示から、マイナンバー画像情報と２つの個人証明画像情報とを取得する。次に、判断部１３１は、マイナンバー画像情報が受信された、と判断する。
そして、判断部１３１は、２つの各個人証明画像情報は、顔画像を有しない保険証の画像と住民票の画像であることを検知する。具体的には、判断部１３１は、受信された保険証の画像と、格納部１１に格納されている保険証のモデル画像との類似度を算出し、類似度が閾値以上であることを検知することにより、保険証の画像が受信されたことを検出する。また、判断部１３１は、受信された住民票の画像と、格納部１１に格納されている住民票のモデル画像との類似度を算出し、類似度が閾値以上であることを検知することにより、保険証の画像が受信されたことを検出する。
【０１０８】
そして、判断部１３１は、マイナンバー画像情報と２つの顔画像を有しない個人証明画像情報を受信できた、と判断する。つまり、判断部１３１は、受信されたマイナンバー画像情報と２つの個人証明画像情報とは、マイナンバー条件に合致する、と判断する。
【０１０９】
次に、マイナンバー情報蓄積部１３２は、氏名とマイナンバー情報（個人番号）とマイナンバー画像情報と２つの個人証明画像情報とを、ユーザ識別子「１１２」に対応付けて、マイナンバー情報管理表に蓄積する。なお、ユーザ識別子「１１２」は、ここでは、自動的に生成されるユニークなＩＤであり、マイナンバー情報管理表のレコードのＩＤである、とする。また、かかる処理の後のマイナンバー情報管理表は、図８である。図８において「ユーザ識別子＝１１２」のレコードが新たに蓄積された。
【０１１０】
なお、ここで、ユーザＡが、例えば、個人証明画像情報として、保険証の画像のみをマイナンバー情報登録装置１に送信した場合、判断部１３１はエラーである、と判断する。そして、かかる場合、マイナンバー情報は登録されない。
【０１１１】
（具体例２）
ユーザＡ「山田一朗」は、自分のマンナンバー情報をマイナンバー情報登録装置１に登録しようと考え、端末装置２に、マイナンバー情報の入力画面の出力指示を入力した、とする。そして、端末受付部２２は、当該出力指示を受け付ける。そして、端末送信部２４は、当該送信指示をマイナンバー情報登録装置１に送信する。
【０１１２】
次に、マイナンバー情報登録装置１の受付部１２は、マイナンバー情報の入力画面の出力指示を受信する。そして、マイナンバー情報登録装置１は、当該出力指示に対応するマイナンバー情報の入力画面の画面情報を、端末装置２に送信する。
【０１１３】
次に、端末装置２は、マイナンバー情報の入力画面の画面情報を受信し、当該入力画面を出力する。
【０１１４】
そして、ユーザＡは、当該入力画面に対して、氏名、個人番号を入力する。また、ユーザＡは、当該入力画面に対して、個人番号カードの画像と、免許証の画像とを貼り付ける（図９参照）。次に、ユーザは、登録ボタン９０１を押下した、とする。
【０１１５】
次に、端末装置２の端末受付部２２は、登録ボタン９０１の押下を受け付ける。そして、端末処理部２３は、氏名、個人番号、個人番号カードの画像、免許証の画像を有するマイナンバー登録指示を構成する。なお、個人番号カードの画像は、マイナンバーカード画像情報である。免許証の画像は個人証明画像情報の一種である。
【０１１６】
次に、端末送信部２４は、構成されたマイナンバー登録指示をマイナンバー情報登録装置１に送信する。
【０１１７】
次に、マイナンバー情報登録装置１の受付部１２は、当該マイナンバー登録指示を受信する。
【０１１８】
次に、判断部１３１は、次のように判断処理を行う。つまり、判断部１３１は、受信されたマイナンバー登録指示から、マイナンバー画像情報と１つの個人証明画像情報とを取得する。次に、判断部１３１は、マイナンバー画像情報が受信された、と判断する。そして、判断部１３１は、１つの各個人証明画像情報は、顔画像を有する免許証の画像であることを検知する。具体的には、判断部１３１は、受信された免許証の画像と、格納部１１に格納されている免許証のモデル画像との類似度を算出し、類似度が閾値以上であることを検知することにより、免許証の画像が受信されたことを検出する。
【０１１９】
そして、判断部１３１は、マイナンバー画像情報と１つの顔画像を有する個人証明画像情報を受信できた、と判断する。つまり、判断部１３１は、受信されたマイナンバー画像情報と１つの個人証明画像情報とは、マイナンバー条件に合致する、と判断する。
【０１２０】
次に、マイナンバー情報蓄積部１３２は、氏名とマイナンバー情報（個人番号）とマイナンバー画像情報と１つの個人証明画像情報とを、ユーザ識別子「１１２」に対応付けて、マイナンバー情報管理表に蓄積する。なお、ユーザ識別子「１１２」は、ここでは、自動的に生成されるユニークなＩＤであり、マイナンバー情報管理表のレコードのＩＤである、とする。また、かかる処理の後のマイナンバー情報管理表は、図１０である。図１０において「ユーザ識別子＝１１２」のレコードが新たに蓄積された。
【０１２１】
なお、ここで、ユーザＡが、例えば、個人証明画像情報を付加せずにマイナンバー情報等をマイナンバー情報登録装置１に送信した場合、判断部１３１はエラーである、と判断する。そして、かかる場合、マイナンバー情報は登録されない。
【０１２２】
以上、本実施の形態によれば、マイナンバー情報を適切に登録できる。
なお、本実施の形態の図６等において、パスポートの画像、年金手帳の画像等は、個人を特定する画像になっていないが、個人を特定できる画像であることは好適である。
【０１２３】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるマイナンバー情報登録装置１を実現するソフトウェアは、以下のようなプログラムである。つまり、このプログラムは、コンピュータがアクセス可能な記録媒体は、ユーザを識別するユーザ識別子とマイナンバーに関する情報であるマイナンバー情報とを対応付けて格納し得るマイナンバー情報格納部を具備し、コンピュータを、ユーザ識別子と、マイナンバー情報と、マイナンバーカードの画像を構成するマイナンバーカード画像情報と、個人を証明するための証明書の画像を構成する１または２以上の個人証明画像情報とを受け付ける受付部と、前記受付部が受け付けたマイナンバーカード画像情報と１以上の個人証明画像情報とが、マイナンバー情報の正当性に関する条件であるマイナンバー条件を満たすか否かを判断する判断部と、前記判断部が、前記マイナンバー条件を満たすと判断した場合のみ、前記受付部が受け付けたマイナンバー情報を前記ユーザ識別子に対応付けて、前記マイナンバー情報格納部に蓄積するマイナンバー情報蓄積部として機能させるためのプログラムである。
【０１２４】
また、上記プログラムにおいて、前記受付部は、ユーザ識別子とマイナンバー情報とを受け付けるマイナンバー情報受付部と、ユーザ識別子とマイナンバーカード画像情報とを受け付けるマイナンバーカード画像情報受付部と、ユーザ識別子と１または２以上の個人証明画像情報とを受け付ける個人証明画像情報受付部とを具備し、前記判断部は、前記マイナンバーカード画像情報受付部が受け付けたマイナンバーカード画像情報と、前記個人証明画像情報受付部が受け付けた１以上の個人証明画像情報とが、マイナンバー条件を満たすか否かを判断するものとして、コンピュータを機能させるプログラムであることは好適である。
【０１２５】
また、上記プログラムにおいて、前記マイナンバー条件は、前記マイナンバーカード画像情報が受け付けられたこと、および前記１以上の個人証明画像情報が受け付けられたことであるものとして、コンピュータを機能させるプログラムであることは好適である。
【０１２６】
また、上記プログラムにおいて、前記判断部は、前記個人証明画像情報が顔写真を含む場合と顔写真を含まない場合とで、前記マイナンバー条件を満たすか否かの判断の対象の個人証明画像情報の数が異なるものとして、コンピュータを機能させるプログラムであることは好適である。
【０１２７】
また、上記プログラムにおいて、前記判断部は、前記個人証明画像情報が顔写真を含む場合は、一つの個人証明画像情報を判断の対象として、前記マイナンバー条件を満たすか否かを判断し、前記個人証明画像情報が顔写真を含まない場合は、二つの個人証明画像情報を判断の対象として、前記マイナンバー条件を満たすか否かを判断するものとして、コンピュータを機能させるプログラムであることは好適である。
【０１２８】
また、上記プログラムにおいて、前記マイナンバー条件は、前記マイナンバーカード画像情報が正当であることを含み、前記判断部は、前記マイナンバーカード画像情報が予め決められた条件を満たすか否かを判断するものとして、コンピュータを機能させるプログラムであることは好適である。
【０１２９】
また、上記プログラムにおいて、前記マイナンバー条件は、前記１以上の個人証明画像情報が正当であることを含み、前記判断部は、前記マイナンバー情報または前記マイナンバーカード画像情報に含まれるユーザ情報と、前記１以上の各個人証明画像情報に含まれるユーザ情報とが、予め決められた条件を満たすか否かを判断するものとして、コンピュータを機能させるプログラムであることは好適である。
【０１３０】
また、図１１は、本明細書で述べたプログラムを実行して、上述した種々の実施の形態のマイナンバー情報登録装置１等を実現するコンピュータの外観を示す。上述の実施の形態は、コンピュータハードウェア及びその上で実行されるコンピュータプログラムで実現され得る。図１１は、このコンピュータシステム３００の概観図であり、図１２は、システム３００のブロック図である。
【０１３１】
図１１において、コンピュータシステム３００は、ＣＤ−ＲＯＭドライブを含むコンピュータ３０１と、キーボード３０２と、マウス３０３と、モニタ３０４とを含む。
【０１３２】
図１２において、コンピュータ３０１は、ＣＤ−ＲＯＭドライブ３０１２、ＭＰＵ３０１１、ＣＤ−ＲＯＭドライブ３０１２とＭＰＵ３０１３とに接続されたバス３０１４、ブートアッププログラム等のプログラムを記憶するためのＲＯＭ３０１５、ＭＰＵ３０１３に接続され、アプリケーションプログラムの命令を一時的に記憶するとともに一時記憶空間を提供するためのＲＡＭ３０１６、アプリケーションプログラム、システムプログラム、及びデータを記憶するためのハードディスク３０１７を含む。ここでは、図示しないが、コンピュータ３０１は、さらに、ＬＡＮへの接続を提供するネットワークカードを含んでも良い。
【０１３３】
コンピュータシステム３００に、上述した実施の形態のマイナンバー情報登録装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１３４】
プログラムは、コンピュータ３０１に、上述した実施の形態のマイナンバー情報登録装置１等の機能を実行させるオペレーティングシステム（ＯＳ）、またはサードパーティープログラム等は、必ずしも含まなくても良い。プログラムは、制御された態様で適切な機能（モジュール）、を呼び出し、所望の結果が得られるようにする命令の部分のみを含んでいれば良い。コンピュータシステム３００がどのように動作するかは周知であり、詳細な説明は省略する。
【０１３５】
また、上記プログラムを実行するコンピュータは、単数であってもよく、複数であってもよい。すなわち、集中処理を行ってもよく、あるいは分散処理を行ってもよい。
【０１３６】
また、上記各実施の形態において、一の装置に存在する２以上の通信手段（端末情報送信部、端末情報受信部など）、は、物理的に一の媒体で実現されても良いことは言うまでもない。
【０１３７】
また、上記各実施の形態において、各処理（各機能）、は、単一の装置（システム）、によって集中処理されることによって実現されてもよく、あるいは、複数の装置によって分散処理されることによって実現されてもよい。
【０１３８】
本発明は、以上の実施の形態に限定されることなく、種々の変更が可能であり、それらも本発明の範囲内に包含されるものであることは言うまでもない。
【産業上の利用可能性】
【０１３９】
以上のように、本発明にかかるマイナンバー情報登録装置は、機密性の高いマイナンバー情報を適切に登録できるという効果を有し、マイナンバー情報登録装置等として有用である。
【符号の説明】
【０１４０】
１  マイナンバー情報登録装置
２  端末装置
１１  格納部
１２  受付部
１３  処理部
１４  送信部
２１  端末格納部
２２  端末受付部
２３  端末処理部
２４  端末送信部
２５  端末受信部
２６  端末出力部
１１１  マイナンバー情報格納部
１２１  マイナンバー情報受付部
１２２  マイナンバーカード画像情報受付部
１２３  個人証明画像情報受付部
１３１  判断部
１３２  マイナンバー情報蓄積部
【図１】
0006613081.tif 000002
【図２】
0006613081.tif 000003
【図３】
0006613081.tif 000004
【図４】
0006613081.tif 000005
【図５】
0006613081.tif 000006
【図６】
0006613081.tif 000007
【図７】
0006613081.tif 000008
【図８】
0006613081.tif 000009
【図９】
0006613081.tif 000010
【図１０】
0006613081.tif 000011
【図１１】
0006613081.tif 000012
【図１２】
0006613081.tif 000013